(57)【要約】      （修正有）【課題】組立て、取り外しが簡単に行える連結機構と、種々な配列に対応できる収納ケースの提供。【解決手段】それぞれの配列に対応するホック機構と、仕切りなどを適切にもたせた単独で、または複数個の収納ケースを階段的に、あるいは平面的に、もしくは横方向に連鎖配列が可能であって、設置スペースや美観に適した形状に構成される多段収納ケース。【選択図】図２
0003117418.tif 000002
【実用新案登録請求の範囲】
【請求項１】
文書類や物品などを収納する収納ケースにあって、これを単独で、または任意の数を階段的に、あるいは平面的に、もしくは横方向に、さらにはこれらの組み合わせ配列ができて、その構成数を随時、簡単に増減できることと、収納物を上部または、左右からも出し入れできることを特徴とした、多段収納ケース。
【請求項２】
収納ケースは、単独で、または相互に連結された状態で運搬の用にも供することができる、請求項１記載の多段収納ケース。
【請求項３】
ラベルやカラー化、および仕切りや傾斜縁、さらには底部に階段形状を設けて、収納物の取り扱い、識別効率を向上するように配慮された、請求項１、２記載の多段収納ケース。
【考案の詳細な説明】
【技術分野】
【００１】本発明は、複数の収納ケースから構成され多段収納ケースに関するものである。その構造・形態は設置スペースに調和するデザインに対応できる、また収納量に応じてその構成数を随意に組替えことが可能なものである。
【背景技術】
【００２】社会変化の複雑化、多様化にともなって、増大する情報量や物品類の収納、それらの整理・整頓、および要求に応じた迅速なレスポンスが、企業や家庭内において大きな歓心事となっている。  本発明は、それらに応える整理・保管手法を提供するものである。
【考案の開示】
【考案が解決しようとする課題】
【００３】  多岐にわたる文書類や物品類を明確に区別収納できて、誰にも見やすく、出し入れが容易であり、しかもその設置スペースを有効に活用できる形状であること、また文書類や物品類の量に応じて随時その容積を可変できる技術・手法を創造することである。
【課題を解決するための手段】
【００４】ケースまたは、箱型形状からなる収納ケースにあって、これらが上下、左右、前後方向に複数個を簡単に連結可能な形状・構造とした、多段収納ケースを実現することである。
【考案の効果】
【００５】誰もが苦労している日常の郵便物や文書類、物品類を限られたスペースに整然と整理できて、日常の業務効率化に寄与できること、また収納ケースは運搬にも便利な商品として提供できる。
【考案を実施するための最良の形態】
【００６】収納ケースは、プラスチック、板紙、または金属板などの材料によって、容易に制作することが可能であり、廉価な商品を提供できる。
また多段収納ケースは、壁掛け、机上、床上、または引き出し、戸棚などへの設置が可能で、カラー化と相まってスペースとの調和や美観、識別を高める役目を果たす。
【実施例】
【００７】図１は、本考案に関わる収納ケースの一例を、図２は階段配列の例を、図３は平面配列の例を、図４は横配列の例を、図５は補助機能の例を、図６は取っ手の例を、それぞれ説明したものである。【００８】図１収納ケースは、▲１▼収納ケース、▲２▼ホック穴、▲３▼ホック、▲４▼段差、▲５▼ラベル、▲６▼Ｕ切り欠きから構成される。▲２▼ホック穴は、▲３▼ホックと結合させて請求項１に記載する連鎖配列の役目を果たす。  ▲１▼収納ケース相互の連結は、▲３▼ホックを▲２▼ホック穴に勘合させるだけの簡単な操作でできる。
▲２▼ホック穴と▲３▼ホックの数およびその配置位置は、配列方法や▲１▼収納ケースの大きさおよび、収納物の重量などの条件から適宜設定される。
請求項１に記載するそれぞれの配列について説明すると、まず階段配列にあっては、図２階段配列の例に見られるように、▲４▼段差を適値に設定することで実現できる。  この▲４▼段差をゼロにすれば、図３平面配列の例となる。
一方、▲１▼収納ケースにおいて、▲３▼ホックを側面に配置すれば、図４横配列の例となる。この場合、▲２▼ホック穴は▲３▼ホックに対応して▲１▼収納ケースの側面に設けられる。▲２▼ホック穴と▲３▼ホックに▲４▼段差を設ければ、横方向に階段配列が可能なことは当然である。さらにはこれらを自由に組み合わせることも可能である。
▲５▼Ｕ切り欠きは、文書類や物品類の出し入れを容易に行うための人指挿入を補助するものである。【００９】請求項２に記載のように、▲１▼収納ケースは、単体でまたは、複数個結合した状態で文書類および物品類の運搬に供することも可能である。図６取っ手の例の▲７▼取っ手は、この運搬時に使用される。【０１０】▲１▼収納ケースへの文書類や物品類の出し入れは、通常上部から行われるが、左右の一方からまたは、それらの双方から行うことも可能である。この場合は、左右の一方が開放された形状となる。
請求項３に記載のごとく、▲１▼収納ケースは、収納物の容易な取り扱い、識別、美観効果を補助すめために、収納物を表示する▲６▼ラベルや、ケース自体に種々な色付けが可能である。さらには図５補助機能の例に示すような▲８▼傾斜や▲９▼仕切りを付けたり、さらには底部を▲１０▼階段にすることによって、より取り扱いを容易ならしめることができる。【０１１】端部に配列される▲１▼収納ケースにあっては、▲２▼ホック穴は、本発明の多段収納ケースを壁などに吊り下げる際の紐穴の目的を兼ねる。  また、多段収納ケースは接着またはマグネットなどを利用した固定も可能である。
【産業上の利用可能性】
【０１１】本発明は、単に事務所や家庭における文書類や物品類の収納ケースに留まらず、例えば部品類の保管ケースとして、または種々のマニュアルやメインテナンス部品の保管ケースとして、さらには家庭内における小物入れなどに利用でき、より巾広い分野に応用できる。
【図面の簡単な説明】
【０１２】
【図１】  収納ケースを説明した斜視図である。
【図２】  階段配列の例を説明した斜視図である。
【図３】  平面配列の例を説明した斜視図である。
【図４】  横配列の例を説明した斜視図である。
【図５】  補助機能の例を説明した斜視図である。
【図６】  取っ手の例を説明した斜視図である。
【符号の説明】
【０１３】  ▲１▼  収納ケース
▲２▼  ホック穴
▲３▼  ホック
▲４▼  段差
▲５▼  Ｕ切り欠き
▲６▼  ラベル
▲７▼  取っ手
▲８▼  傾斜
▲９▼  仕切り
▲１０▼  階段
【図１】
0003117418.tif 000003
【図２】
0003117418.tif 000004
【図３】
0003117418.tif 000005
【図４】
0003117418.tif 000006
【図５】
0003117418.tif 000007
【図６】
0003117418.tif 000008
【手続補正書】
【提出日】平成17年9月15日(2005.9.15)
【手続補正１】
【補正対象書類名】実用新案登録請求の範囲
【補正対象項目名】全文
【補正方法】変更
【補正の内容】
【実用新案登録請求の範囲】
【請求項１】
文書類や物品などを収納する収納ケースにあって、収納物を出し入れする面が開口された箱型形状をなし、その正面や裏面、あるいは側面には適宜な段差を有するホック及びホック穴が形成されていて、任意の数の収納ケースを相互に連鎖させる機能を担い、その連鎖配列には、ホックの段差によって階段的にあるいは平面的に、側面ホックにあっては横方向に、さらにはこれらの併合による組み合わせと、その構成数の増減を、随時にまた簡単にできることを特徴とした、多段収納ケース。